(57)【要約】【課題】　爪の先端部に白ラインを描き易いブラシ付きネイルアート容器の提供の提供。【解決手段】　上部に開口部を有するネイルアート液収容容器本体と、上記容器本体の上部に着脱自在に装着された蓋と、上記蓋に取り付けられたフレンチネイル用ブラシ３０とを備えてなり、　フレンチネイル用ブラシ３０は上端部が上記蓋に取り付けられた柄部３１と該柄部３１の下端部に取り付けられた筆部３２とからなり、筆部３２は横断面形状が弓形に形成され、かつ先端部３４ａが平面視Ｕ字形に形成されたフレンチネイル用ブラシ付きネイルアート容器。【選択図】　図２
2004008826.tif 000002
【特許請求の範囲】
【請求項１】
　上部に開口部を有するネイルアート液収容容器本体と、前記容器本体の上部に着脱自在に装着された蓋と、前記蓋に取り付けられたフレンチネイル用ブラシとを備えてなり、
　前記フレンチネイル用ブラシは上端部が前記蓋に取り付けられた柄部と該柄部の下端部に取り付けられた筆部とからなり、前記筆部は横断面形状が弓形に形成され、かつ先端部が平面視Ｕ字形に形成されていることを特徴とするフレンチネイル用ブラシ付きネイルアート容器。
【請求項２】
前記容器本体の開口部の近傍に内側に突出する凸部が設けられたことを特徴とする請求項１記載のフレンチネイル用ブラシ付きネイルアート容器。
【発明の詳細な説明】
【技術分野】
【０００１】
　本発明は、フレンチネイル用ブラシ付きネイルアート容器に関する。
【背景技術】
【０００２】
　従来から一般的に知られているマニキュア容器としては図７に示すようなものが知られている（例えば、特許文献１参照）。
　このマニキュア容器は、螺子部８１ａが外周面に形成された瓶首８２を有する容器本体８５と、この瓶首８２の螺子部８１ａに螺合される螺子部８１ｂが内周面に形成された略円筒形蓋８７と、この蓋８７に取り付けられたマニキュア液塗布用ブラシ８９とから概略構成されている。ブラシ８９は、円形に束ねられた筆部９０と、この筆部９０が先端部（下端部）に取り付けられた柄部９１とからなり、この柄部９１の他端部（上端部）が円筒形蓋８７の内側に嵌められている。上記円筒形蓋８７は、容器本体８５の栓の機能と、ブラシ８９を使用する際の把持部の機能を兼ねるものである。
【特許文献１】特願平１１−７１２７号公報
【０００３】
　ところで、爪にフレンチネイルを施す場合は、上記マニキュア液９５がピンク色系（あるいはベージュ系）のマニキュア容器と、上記マニキュア液９５が白色系のマニキュア容器が用いられる。
　これらマニキュア容器を用いて爪にフレンチネイルを施すには、ピンク色系のマニキュア液９５が入ったマニキュア容器本体８５から円筒形蓋８７を外した後、この円筒形蓋８７を把持してブラシ８９の筆部９０でピンク色系のマニキュア液９５を爪の表面全体に塗った後、白色系のマニキュア液９５が入ったマニキュア容器本体８５から円筒形蓋８７を外した後、この円筒形蓋８７を把持してブラシ８９の筆部９０で白色系のマニキュア液９５を図８に示すように爪１００の表面の先端部１０１に円弧状に塗布する。なお、爪の先端部で白系のマニキュア液９５を円弧状に塗布した部分を白ラインと呼ぶ。
【発明の開示】
【発明が解決しようとする課題】
【０００４】
　しかしながら従来のマニキュア容器に備えられた筆部９０は円形に束ねられたものであるので、白色系のマニキュア液９５を塗布する際、図８の矢印で示すようにブラシ８９をエッジ部１０２に沿うように動かして（ブラシを弧を描くように動かして）塗布する作業が困難で、白ラインが歪んだり、白色系のマニキュア液９５が爪の先端部分以外（ネイルベット、爪のピンク部）にはみ出し易く、見栄えが悪くなってしまうという問題があった。
【０００５】
　本発明は上記事情に鑑みてなされたもので、爪の先端部に白ラインを描き易いブラシ付きネイルアート容器の提供を目的とする。
【課題を解決するための手段】
【０００６】
　本発明のフレンチネイル用ブラシ付きネイルアート容器は、上部に開口部を有するネイルアート液収容容器本体と、上記容器本体の上部に着脱自在に装着された蓋と、上記蓋に取り付けられたフレンチネイル用ブラシとを備えてなり、上記フレンチネイル用ブラシは上端部が上記蓋に取り付けられた柄部と該柄部の下端部に取り付けられた筆部とからなり、上記筆部は横断面形状が弓形に形成され、かつ先端部が平面視Ｕ字形に形成されていることを特徴とする。
　また、上記容器本体の開口部の近傍に内側に突出する凸部が設けられていることが好ましい。
【発明の効果】
【０００７】
　本発明によれば、爪の先端部に白ラインを描き易いブラシ付きネイルアート容器を提供できる。
【発明を実施するための最良の形態】
【０００８】
　次に図面を用いて本発明の実施の形態を詳細に説明する。
　なお、本発明は以下に説明する実施の形態に限定されるものではないことは勿論であるとともに、以下の図面においては各構成部分の縮尺について図面に表記することが容易となるように構成部分毎に縮尺を変えて記載している。
（第１の実施形態）
　図１は、本発明の第１の実施形態のフレンチネイル用ブラシ付きネイルアート容器の概略構成を示すものである。
　本実施形態のフレンチネイル用ブラシ付きネイルアート容器は、上部に開口部２を有するネイルアート液収容容器本体１０と、上記容器本体１０の上部に着脱自在に装着された蓋２０と、上記蓋２０に取り付けられたフレンチネイル用ブラシ３０とを主体として構成されている。
　容器本体１は、上部に首部３を有しており、この首部３に開口部２が設けられている。この首部３の外周面に螺子部４ａが形成されている。このような容器本体１内には白色系のネイルアート液５が収容されている。白色系のネイルアート液５としては、例えば、白色系のネイルエナメル、又は白色系のネイルカラー、又は白色系のマニキュア液を挙げることができる。
また、この容器本体１内にはネイルアート液５を攪拌するための粒子６が入れられている。
【０００９】
　蓋２０は略円筒形のもので、その下部の内周面に首部３の螺子部４ａに螺合される螺子部４ｂが形成されている。
　この蓋２０は、フレンチネイル用ブラシ３０を使用する際の把持部としても機能するため、中央部に縮径部２１が形成されていることで、この蓋２０を持ち易くされている。また、この蓋２０の上部の内部には、フレンチネイル用ブラシ３０を取り付けるための嵌合用凹部２２ａを有する芯部２２が嵌められている。なお、蓋部２０に縮径部２１を形成することに代えて左右にそれぞれ凹部を形成したものであってもよい。その場合、左右の凹部の中央位置と、後述の中央位置を示す印３５とは位置合わせして形成される。
【００１０】
　フレンチネイル用ブラシ３０は、上端部が蓋の嵌合用凹部２２ａに取り付けられた柄部３１と該柄部３１の下端部に取り付けられた筆部３２からなる。この筆部３２は従来のマニキュア容器に備えられているブラシの筆部より幅広に形成されている。
　図２は、フレンチネイル用ブラシ３０の要部を示す拡大図であり、図２（ａ）は筆部３２の正面図、図２（ｂ）は筆部３２の横断面図、図２（ｃ）は筆部３２の側面図である。筆部３２は、図２（ｂ）に示すように爪の外面形状に沿うように横断面形状が弓形に形成され、上側が凸側３２ａとされ、下側が凹側３２とされている。また、この筆部３２は、図２（ａ）に示すように先端部３４ａが爪の先端部の形状に沿うように平面視Ｕ字形（先端部３４ａは平面視凹んだ形状）に形成されている。また、図２（ｃ）に示すようにこの筆部３２の筆先３３ｂは、上側（凸側３２ａ）の長さが下側（凹側３２ｂ）の長さ３３ｃより短くされているのが好ましい。このように筆部３２の筆先３３ｂの長さに長短が付けられていると、フレンチネイルの白ラインを描く際に、白ラインを描きやすい。
　また、筆部３２の中央部は他の部分と異なる色に着色されることなどにより、筆部３２の中央部位置に印３５が付けられている。このようにすることにより、フレンチネイルの白ラインを描く際に爪の中央と筆部３２の中央の位置合わせが容易で、白ラインを描き易い。
　また、この筆部３２の根元は、柄部３１と一体成形された幅広部（筆部支持部）又は柄部３１と別体の金属製又は樹脂製筆部支持部により取り囲まれて支持されているが、上記筆部支持部は、上側（凸側３２ａ）の長さが下側（凹側３２ｂ）の長さより長くされているのが好ましい。このように筆部支持部の長さに長短が付けられていると、フレンチネイルの白ラインを描く際に、筆部３２は上側（凸側３２ａ）の筆部支持部で支持されるので、白ラインを描きやすい。
【００１１】
　容器本体１０の螺子部４ａと蓋部２０の螺子部４ｂを螺合することにより、このフレンチネイル用ブラシ３０の筆部３２は開口部２を通って本体１０内に入れられ、筆部３２がネイルアート液５につけられている。蓋部２０を容器本体１０から外すと、このフレンチネイル用ブラシ３０は蓋部２０に付いているので容器本体１０の外部に出すことができる。
【００１２】
　図３は、容器本体１０を上方から視たときの平面図である。
　この容器本体１０の首部３の開口部内には、図１と図３に示すように凸部７が設けられている。この凸部７は、内側に突出する曲面７ａを有している。この曲面７ａの横断面形状は、筆部３２の凹側３２の形状に沿うような形状とされている。このような曲面７ａを有する凸部７が開口部２内に設けられていると、蓋部２０を容器本体１０から外して、フレンチネイル用ブラシ３０の筆部３２の凹側３２ｂを凸部７に押し当てることで、筆部３２に余分についたネイルアート液５を落としやすい。
　また、凸部７の形状は、筆部３２の凹側３２の形状に沿うような曲面７ａを有するものに限らず、筆部３２に余分についたネイルアート液５を落とすことができれば他の形状であってもよく、例えば、星形やハート形などの形状であってもよい。また、凸部７が形成される位置としては、開口部２内に限らず、開口部２の近傍、例えば、開口部２の上方や周辺であってもよい。また、凸部７は、首部３と一体成形されたものに限らず、別体のものであってもよく、例えば、開口部を有する中蓋を上記首部３の開口部２に着脱自在に設け、上記中蓋の開口部に内側に突出する凸部を設けてもよく、あるいは上記中蓋の開口部の輪郭の一部分が筆部３２の横断面形状の輪郭の一部分に沿うような形状を有するようにしたものであってもよい。
【００１３】
　本実施形態のフレンチネイル用ブラシ付きネイルアート容器は、上部に開口部を有する容器本体１０と、容器本体１０の上部に着脱自在に装着された蓋２０と、蓋２０に取り付けられたフレンチネイル用ブラシ３０とを備えてなり、フレンチネイル用ブラシ３０は上端部が上記蓋に取り付けられた柄部３１と該柄部３１の下端部に取り付けられた筆部３２とからなり、筆部３２は横断面形状が弓形に形成され、かつ先端部が平面視Ｕ字形に形成されたものであるので、フレンチネイルの白ラインを描く際は、蓋部２０の縮径部２１を持って図４に示すようにフレンチネイル用ブラシ３０の筆部３２の先端部３４ａを爪１００の先端部１０１に当てて爪１００の長さ方向Ｘに動かすだけで白ラインを描くことができるので、従来のマニキュア容器のブラシのように弧を描くように動かさなくても済み、白色系のネイルアート液５が爪の先端部以外にはみ出しにくく、歪みのない白ラインが得られ易く、見栄えのよいフレンチネイルを施すことができる。また、フレンチネイル用ブラシ３０の筆部３２は、従来の円形に束ねた筆部を有するブラシに比べて扁平であるので、容器本体１０に収容されたネイルアート液５を混ぜやすいという利点がある。
　なお、フレンチネイル用ブラシ３０は蓋２０に着脱自在に設けられたものであってもよく、フレンチネイルの白ラインを描かない場合は、蓋２０に従来の円形に束ねられた筆部を有するブラシを着脱自在に取り付け可能な構成とされていてよい。
　なお、本実施形態の筆部３２は横断面形状が弓形に形成され、かつ先端部がＵ字形になるように筆部を形成する繊維が植えられている場合について説明したが、円形に束ねられた筆部に内周の輪郭が弓形の樹脂製又は金属製リング状体を嵌めるようにして、横断面形状が弓形の筆部を備えたブラシとしたものであってもよい。上記リング状体は着脱自在とされる。
　なお、上記筆部３２の筆先３３ｂは、上側（凸側３２ａ）の長さと下側（凹側３２ｂ）の長さ３３ｃが揃ったものであってもよく、あるいは上側の長さが下側の長さ３３ｃより長くされたものであってもよい。また、上記筆部支持部は、上側（凸側３２ａ）の長さと下側（凹側３２ｂ）の長さが揃ったものであってもよく、あるいは、上側の長さが下側の長さより短くされたものであってもよい。
【００１４】
（第２の実施形態）
　図５は本発明の第２の実施形態のフレンチネイル用ブラシ付きネイルアート容器の概略構成を示すものであり、図５（ａ）は正面図、図５（ｂ）はこのフレンチネイル用ブラシ付きネイルアート容器に備えられた容器本体を上方から視たときの平面図である。
　本実施形態のフレンチネイル用ブラシ付きネイルアート容器が第１の実施形態のブラシ付きネイルアート容器と異なるところは、マニキュア収容容器本体１０ａが第１の実施形態の容器本体１０ａより幅広のもので、マニキュア収容容器本体１０ａに首部３とは別に開口部２より幅の狭い開口部２ａを有する首部３ａが形成され、この首部３ａに通常の円形に束ねられた筆部４２を有するブラシ４０が取り付けられた蓋２０ａが着脱自在に装着されている点である。
　本実施形態のフレンチネイル用ブラシ付きネイルアート容器によれば、フレンチネイルの白ラインを描く際は蓋２０についたフレンチネイル用ブラシ３０を使用し、爪全体を白系のネイルアート液を塗るなどの場合には蓋２０ａについたフレンチネイル用ブラシ４０を使用することができ、便利である。
【００１５】
（第３の実施形態）
　図６は本発明の第３の実施形態のフレンチネイル用ブラシを示す図である。
　本実施形態のフレンチネイル用ブラシ３０ａが第１の実施形態のフレンチネイル用ブラシ３０と異なる点は、柄部３１の上端部が略円筒形把持部５２に取り付けられたものであり、すなわち、本実施形態のフレンチネイル用ブラシ３０ａは独立して販売可能なものである。
　略円筒形把持部５２には、中央部に縮径部５３が形成されていることで持ち易くされている。なお、把持部５２に縮径部５３を形成することに代えて左右にそれぞれ凹部を形成したものであってもよい。
【図面の簡単な説明】
【００１６】
【図１】本発明の第１の実施形態のフレンチネイル用ブラシ付きネイルアート容器の概略構成を示す図。
【図２】図１のフレンチネイル用ブラシ付きネイルアート容器に備えられたフレンチネイル用ブラシの要部を示す拡大図。
【図３】図１のフレンチネイル用ブラシ付きネイルアート容器に備えられた容器本体を上方から視たときの平面図。
【図４】本実施形態のフレンチネイル用ブラシ付きネイルアート容器のフレンチネイル用ブラシを用いて白ラインを描く方法の説明図。
【図５】本発明の第２の実施形態のフレンチネイル用ブラシ付きネイルアート容器の概略構成を示す図。
【図６】本発明の第３の実施形態のフレンチネイル用ブラシを示す図。
【図７】従来のマニキュア容器の例を示す斜視図。
【図８】従来のマニキュア容器のブラシを用いて白ラインを描く方法の説明図。
【符号の説明】
【００１７】
　１０，１０ａ・・・ネイルアート液収容容器本体、２・・・開口部、３・・・首部、５・・・ネイルアート液、７・・・凸部、７ａ・・・曲面、２０・・・蓋、２１，５３・・・縮径部、３０，３０ａ・・・フレンチネイル用ブラシ、３１・・・柄部、３２・・・筆部、３２ａ・・・凸側、３２ｂ・・・凹側、３３ｂ・・・筆先、３４ａ・・・先端部、５２・・・把持部。
【図１】
2004008826.tif 000003
【図２】
2004008826.tif 000004
【図３】
2004008826.tif 000005
【図４】
2004008826.tif 000006
【図５】
2004008826.tif 000007
【図６】
2004008826.tif 000008
【図７】
2004008826.tif 000009
【図８】
2004008826.tif 000010